Podtech/llm-jp-corpus-v4-ja_patent huggingface dataset:
(57)【要約】【課題】  従来の鍋の蓋は、鍋にお玉を入れたまま鍋の蓋をした場合に、鍋と鍋の蓋との間にお玉の柄が挟まり隙間が生じ衛生上好ましくなかった。【解決手段】  鍋に鍋の蓋をした場合に、鍋の蓋に設けられている蒸気抜き孔と同等くらいの大きさの隙間が出来る切り込みを鍋の蓋の縁に設けて、出来た隙間にお玉の柄が納まるようにした鍋の蓋である。【選択図】図８
2010246876.tif 000002
【特許請求の範囲】
【請求項１】
鍋の蓋を鍋にした時に、鍋の蓋に設けられている蒸気抜き孔と同等くらいの大きさの隙間が出来る切り込みが鍋の蓋に設けてある鍋の蓋。
【請求項２】
お玉の柄の太さが請求項１記載の隙間に納まる太さのお玉。
【請求項３】
お玉の柄が複数本設けてある請求項２記載のお玉。
【請求項４】
お玉を鍋に入れて鍋の蓋をした場合に、鍋の縁に接するお玉の柄の部分が、水平もしくは、ほぼ水平になるように曲げてあるお玉。
【発明の詳細な説明】
【技術分野】
【０００１】  本発明は、鍋の蓋の縁に、鍋に鍋の蓋をした場合に、鍋の蓋に設けられている蒸気抜き孔と同等くらいの大きさの隙間が出来る切り込みを設けて、出来たその隙間にお玉の柄が納まるようにして、鍋にお玉を入れたまま鍋の蓋をしても、鍋と鍋の蓋との間にお玉の柄が挟まらない鍋の蓋に関する。
【背景技術】
【０００２】  従来の鍋の蓋は、鍋にお玉を入れたまま鍋の蓋をすると、鍋と鍋の蓋との間にお玉の柄が挟まり隙間が出来て衛生上好ましくなかった。そこで、お玉の柄が納まるように鍋と鍋の蓋の縁に凹部を設けたものとか（例えば特許文献１参照。）、鍋の蓋の縁にお玉が納まる切り欠き部分を設けたものがある（例えば特許文献２参照。）。
【先行技術文献】
【特許文献】
【０００３】
【特許文献１】  特開平８−１８７１６４  公報
【特許文献２】  特開２００７−８２７３４  公報
【発明の概要】
【発明が解決しようとする課題】
【０００４】  以上に述べた従来の鍋の蓋には、鍋にお玉を入れたまま鍋の蓋をして、鍋と鍋の蓋との間にお玉の柄が挟まらないものはなかった。【０００５】  そこで対策を施したものがある。例えば特許文献１は、良い発明ではあるが、設けた凹部から有害物や有害虫が鍋の中に入る可能性と多量の蒸気が逃げる可能性がある。また、例えば特許文献２も良い発明ではあるが、設けた切り欠き部分に回転蓋が取り付けてあり構造が複雑である。【０００６】  本発明は、従来の鍋の蓋が有していた上記問題を解決しようとするものであり、鍋の蓋の縁にお玉の柄が納まる切り込みを設けて、鍋にお玉を入れたまま鍋の蓋をしても鍋と鍋の蓋との間にお玉の柄が挟まらずに隙間が生じることがない。【０００７】  また、お玉を入れずに鍋の蓋をした場合にも有害物や有害虫が容易に入れず、なお且つ煮炊きの際の熱効率の低下を生じさせないことを目的とするものである。
【課題を解決するための手段】
【０００８】  本発明は、上記目的を達成するために鍋に鍋の蓋をした場合に、鍋の蓋に設けてある蒸気抜き孔と同等くらいの大きさの隙間が出来る切り込みを鍋の蓋の縁に設ける。【０００９】  お玉の柄を上記隙間に納まる太さにする。【００１０】  お玉の柄の強度が弱い場合はお玉の柄を複数本にする。【００１１】  お玉の柄を曲げる。【００１２】  上記解決手段の作用は、鍋にお玉を入れたまま鍋の蓋をしても、鍋と鍋の蓋との間にお玉の柄が挟まらない。
【発明の効果】
【００１３】  上述したように本発明の鍋の蓋は、お玉を鍋に入れたまま鍋の蓋をしても、鍋と鍋の蓋との間にお玉の柄が挟まらないので隙間が生じず衛生的である。【００１４】  お玉を入れない状態で鍋の蓋をしても、蒸気抜き孔と同等くらいの大きさの隙間なので有害物や有害虫が容易に鍋の中に入ることが出来ない。【００１５】  また、煮炊きの際も多量の蒸気が逃げず熱効率の低下が生じ難い。【００１６】  蒸気抜き孔を兼ねることも出来る。
【図面の簡単な説明】
【００１７】
【図１】  本発明の実施の形態の真横から見た図である。
【図２】  本発明の実施の形態の真横から見た図である。
【図３】  本発明の実施の形態の真横から見た図である。
【図４】  本発明の実施の形態の真横から見た図である。
【図５】  本発明の実施の形態の斜視図である。
【図６】  本発明の実施の形態の斜視図である。
【図７】  本発明の実施の形態の斜視図である。
【図８】  本発明の実施の形態の斜視図である。
【図９】  本発明の実施の形態の斜視図である。
【発明を実施するための形態】
【００１８】  以下、本発明の実施の形態を図１〜図９に基づいて説明する。
【００１９】  図１と図２で示すように鍋の蓋の縁２に切り込み３を入れる。
【００２０】  切り込み３は図３と図４のように鍋４に鍋の蓋１をした場合に、鍋の蓋１に設けられている蒸気抜き孔５と同等くらい大きさの隙間６が出来るように入れる。
【００２１】  同等くらいの大きさとは、出来た隙間６から有害物や有害虫が鍋の中に容易に入ることが出来なく、煮炊きの際にも多量の蒸気が逃げずに熱効率の低下が生じ難い大きさとする。
【００２２】  隙間６は、図３では半円状であるが、図４のように四角状でも良く限定するものではない。
【００２３】  図５で示すように、鍋４にお玉を入れたまま鍋の蓋１をしても鍋４と鍋の蓋１との間にお玉の柄７が挟まることなく隙間６に納まる。
【００２４】  隙間６が大きくないために、お玉の柄７が細くなり強度が弱い場合は、お玉の柄７を複数本にする。
【００２５】  例えば、図６のように切り込み３を２つ設け、隙間６を２つにし、お玉の柄７を２本にして強度を強くする。
【００２６】  一般的な蒸気抜き孔５と同等くらいの大きさの隙間６だと、お玉の柄７は２〜３本で強度は保たれる。
【００２７】切り込み３は１つ以上設けるものとする。
【００２８】  次に、お玉の柄７を曲げることにより、より隙間６を小さく出来て本発明を実施出来る。
【００２９】  例えば、図７のように、お玉の柄７をＬ字状に近い状態に曲げる。そうすると、図８で示すように、鍋４に入れた状態でお玉の柄７の鍋の縁８に接する部分が、水平もしくは、ほぼ水平な状態になるので、お玉の柄７の太さの隙間６で済む。
【００３０】  曲げ方は、図７のようにでも良いし、図９のようにしても良い。
【００３１】  要するに、図８で示すように、お玉を鍋４に入れたまま鍋の蓋１をした場合に、お玉の柄７の鍋の縁８に接する部分が、水平もしくは、ほぼ水平になるように曲げれば良いものとして、限定するものではない。
【符号の説明】
【００３２】１  鍋の蓋
２  鍋の蓋の縁
３  切り込み
４  鍋
５  蒸気抜き孔
６  隙間
７  お玉の柄
８  鍋の縁
【図１】
2010246876.tif 000003
【図２】
2010246876.tif 000004
【図３】
2010246876.tif 000005
【図４】
2010246876.tif 000006
【図５】
2010246876.tif 000007
【図６】
2010246876.tif 000008
【図７】
2010246876.tif 000009
【図８】
2010246876.tif 000010
【図９】
2010246876.tif 000011
(57)【要約】【課題】  従来の処方薬の受取方法では、患者は調剤薬局に出向くことが必要で、しかも処方薬ができあがるまで調剤薬局で待たなければならず、処方薬を受け取るまでに時間がかかるという問題があった。これは患者が処方薬を受け取る場合には調剤薬局に処方箋を持参しなければならず、調剤薬局では処方箋を患者から受け取った後に調剤を開始するためである。【解決手段】  医院で出された処方箋のデータを患者が事前に調剤薬局に送信しておくことによって調剤薬局では前もって調剤することができるため、患者は調剤薬局を訪れた時点で処方薬を受け取ることができる。また、処方薬を自宅で受け取りたい場合には、自宅配送を指定すれば自宅に配送されるため、患者が調剤薬局に出向く必要がなくなる。【選択図】図２
2010246873.tif 000002
【特許請求の範囲】
【請求項１】
携帯電話を利用した処方薬受け取りシステム。
【発明の詳細な説明】
【技術分野】
【０００１】  本発明は、医院で処方された薬の受取方法に関する。
【背景技術】
【０００２】  以下、図１により従来の処方薬５の受取方法について説明する。
患者１は、医院２から発行された処方箋３を任意の調剤薬局４に持ち込んで処方薬５を受け取る。
【発明の概要】
【発明が解決しようとする課題】
【０００３】  従来の処方薬の受取方法では、医院で薬を処方された患者が近隣の調剤薬局で処方薬を受け取る場合に患者はその調剤薬局に処方箋を持参しなければならず、調剤薬局では処方箋を患者から受け取った後に調剤を開始するため、患者が処方薬を受け取れるようになるまでに時間がかかる。【０００４】  患者は処方薬を受け取る調剤薬局を、例えば自宅の近くの調剤薬局などのように任意で選択できるが、その場合にもその調剤薬局に出向いて処方箋を提出してから調剤が開始されるため、患者が処方薬を受け取れるようになるまでに時間がかかる。【０００５】  調剤薬局では処方薬の自宅への宅配は行ってくれないため、患者は処方薬ができあがるまで調剤薬局で待たなければならない。【０００６】  本発明は、このような従来の処方薬の受取方法が有していた問題を解決しようとするものであり、患者が処方薬を受け取るまでにかかる時間の削減、および調剤薬局へ出向く手間の軽減を目的とするものである。
【課題を解決するための手段】
【０００７】  患者は、医院で渡された処方箋を写真撮影機能付き携帯電話で撮影し、処方箋のデジタル写真データを携帯電話のインターネット接続機能でサーバに送信する。送信する際に、処方薬を受け取る調剤薬局を指定する。【０００８】  サーバでは受け取った処方箋のデジタル写真データを暗号化し、調剤薬局に配信する。調剤薬局では、サーバからインターネットを介して配信された、暗号化された当該患者の処方箋のデジタル写真データをパソコン上で暗号化を解除して画面表示される処方箋に基づいて、患者が調剤薬局に訪れる前に処方薬の調剤を開始する。【０００９】  処方箋のデジタル写真データを携帯電話のインターネット接続機能でサーバに送信する際に、処方薬の受取場所について自宅などへの配送を選択すると、処方薬を配送するための専用配送センターが調剤薬局から配送依頼された処方薬を引き取り、患者の指定する場所に配送する。
【発明の効果】
【００１０】  上述したように本発明のシステムでは、医院で出された処方箋を携帯電話で写真撮影し、事前に調剤薬局に処方箋のデータを送信することにより、調剤薬局では前もって調剤することができ、患者が調剤薬局を訪れた時点で処方薬を受け取ることができる。【００１１】  患者が、例えば自宅近くの調剤薬局で処方薬を受け取りたい場合でも、医院で出された処方箋を携帯電話で写真撮影し、事前にその調剤薬局への処方箋のデータの送信を指定することにより、その調剤薬局を訪れた時点で処方薬を受け取ることができる。【００１２】  処方薬を自宅で受け取りたい場合には、医院で出された処方箋を携帯電話で写真撮影し調剤薬局を選択して写真データを送信する時点で自宅配送を選択すれば、自宅に配送される。
【図面の簡単な説明】
【００１３】
【図１】従来の処方薬の受取方法
【図２】任意の調剤薬局での処方薬の受取方法
【図３】自宅配送での処方薬の受取方法
【発明を実施するための形態】
以下、本発明の実施の形態を図２および図３に基づいて説明する。
【実施例１】
【００１４】  図２は、任意の調剤薬局での処方薬の受取方法を示す。図においては、患者１、医院２、処方箋３、調剤薬局４、処方薬５、処方箋のデジタル写真データ６、患者の自宅７が示されており、写真撮影可能な携帯電話８、サーバ９、インターネット接続されたパソコン１０から構成される。【００１５】  以上のシステムは次のようにして利用する。患者１は医院２で受け取った処方箋３を携帯電話で写真撮影し、任意の調剤薬局４を選択して、処方箋のデジタル写真データ６を送信する。【００１６】送信された処方箋のデジタル写真データ６は、サーバ９に送られて暗号化される。【００１７】患者１が選択した調剤薬局４では、暗号化された患者１の処方箋のデジタル写真データ６が配信され、この処方箋のデジタル写真データ６の暗号化を解除して画面表示される処方箋３に基づいて調剤を始める。【００１８】調剤薬局４では、患者１が来局した時点で待たせることなく処方薬５を渡す。
【実施例２】
【００１９】  図３は、自宅配送での処方薬の受取方法を示す。図においては、患者１、医院２、処方箋３、調剤薬局４、処方薬５、処方箋のデジタル写真データ６、患者の自宅７が示されており、写真撮影可能な携帯電話８、サーバ９、インターネット接続されたパソコン１０、処方薬を配送するための専用配送センター１１、薬剤師１２から構成される。【００２０】  以上のシステムは次のようにして利用する。患者１は医院２で受け取った処方箋３を携帯電話で写真撮影し、任意の調剤薬局４を選択する時点で自宅配送希望を選択し、処方箋のデジタル写真データ６を送信する。【００２１】送信された処方箋のデジタル写真データ６は、サーバ９に送られて暗号化される。【００２２】患者１が選択した任意の調剤薬局４では、暗号化された患者１の処方箋のデジタル写真データ６が配信され、この処方箋のデジタル写真データ６の暗号化を解除して画面表示される処方箋３に基づいて調剤を行う。【００２３】処方薬を配送するための専用配送センター１１では、調剤薬局４から配送するべき処方薬５を集荷し、患者の自宅７に配送する。配送の際には薬剤師１２が同行し、患者１の自宅７で処方薬５を渡す時に薬の説明を行う。
【符号の説明】
【００２４】  １  患者
２  医院
３  処方箋
４  調剤薬局
５  処方薬
６  処方箋のデジタル写真データ
７  患者の自宅
８  写真撮影可能な携帯電話
９  サーバ
１０  インターネット接続されたパソコン
１１  処方薬を配送するための専用配送センター
１２  薬剤師
【図１】
2010246873.tif 000003
【図２】
2010246873.tif 000004
【図３】
2010246873.tif 000005
(57)【要約】【課題】  従来のアーム型バッティングマシンは、アームの重量及び形状により機械全体の重量が大きく簡便に運搬できるものでなかった。【解決の手段】  投球アームを２本の弾性体の軽量パイプを用いることで、手軽に運べるバッティングマシンを提供することができた。【選択図】図１
2010246869.tif 000002
【特許請求の範囲】
【請求項１】
２本のパイプからなる投球アームにより投球するバッティングマシン。
【発明の詳細な説明】
【技術分野】
【０００１】本発明は投球速度を追及し、軽量化を図ったアーム型バッティングマシン。
【従来技術の課題】
【０００２】  従来の投球アームを有する形のバッティングマシンは、投球アームの重量が大きく、アームを操作する機構も、投球アームの反作用を受ける機械重量も大きくする必要があった為、手軽に運搬することに不向きであった。
【０００３】  従来のバッティングマシンは投球アームに剛性は有ったが、投球アームそのものが生み出す加速度は考えられていない。
【０００４】  図３の様に従来のバッティングマシンはボールの中心がアームの中を転がり出る為、ボールに与える回転（スピン量）が少ない。
【課題を解決するための手段】
【０００５】  投球アームを２本の軽量パイプで構成することによりアーム重量を軽減できる。
【０００６】  図２の様に２本のパイプそのものに弾性を持たせ、ボールに加速させるものである。
【０００７】  ボールは、図４の様に２本のパイプの上を転がりながら投球される為，従来の様に中心で転がるより、転がる円周が短いため多くの回転（スピン量）を与えることができる。
【発明の効果】
【０００８】  上述した様に本発明は、機体の軽量化を達成することが出来。移動、設置が容易なバッティングマシンを提供できる。
【図面の簡単な説明】
【０００９】図１
▲１▼    投球アーム
▲２▼    スプロケット
▲３▼    投球ハンドル
▲４▼    スプリング
▲５▼    スプリング受け兼アームレバー
▲６▼    ベアリング
▲７▼    ラチェットケース
▲８▼    ボール受け
【図１】
【００１０】  本バッティングマシンは投球ハンドル▲３▼を、手動にて回転することでスプロケットを介してスプロケット▲２▼に回転が伝わる。スプロケット▲２▼に切り込まれた円周上の切り込みに、アームレバー▲５▼の突起がかかり、アームレバーが回転する。アームレバーの先端部にスプリング▲４▼が取り付けられて、スプリングを引き伸ばしながらアームは回転する。アームレバーは上死点を越えるとスプリングの力で回転を始める。図２参照【００１１】  投球は、投球ハンドルを回転させ、投球アームが水平線を越えたところで、且つアームレバーが上死点に達する前の位置で、ボールをボール受けの外側にのせる。このとき投球ハンドルはラチェットケース▲７▼の働きで固定される。
さらに投球ハンドルを回転させるとアームレバーが上死点を越えスプリングの力でボールを加速する。
【図２】
【００１２】  ボールは２本のアームパイプの上を転がりながら投球される、この時のボールのアームとの接触点がボールの外径よりちいさくなるので、従来形のアームより多くの回転（スピン）が与えられる。
回転数の多いボールは空気抵抗により浮力を与えられた軌道を進む。
【図１】
2010246869.tif 000003
【図２】
2010246869.tif 000004
【図３】
2010246869.tif 000005
【図４】
2010246869.tif 000006
【手続補正書】
【提出日】平成21年7月24日(2009.7.24)
【手続補正１】
【補正対象書類名】明細書
【補正対象項目名】０００９
【補正方法】変更
【補正の内容】
【０００９】
【図１】本発明の実施形態を示すバッティングマシーンの全体図  ▲１▼  投球アーム  ▲２▼  スプロケット  ▲３▼  投球ハンドル  ▲４▼  スプリング  ▲５▼  スプリング受け兼アームレバー  ▲６▼  ベアリング  ▲７▼  ラチェットケース  ▲８▼  ボール受け
【図２】ボールの配置とアームレバーの説明図
【図３】従来形のボールの転がり位置の説明図
【図４】今回の発明のボールの転がり位置を示す説明図
(57)【要約】      （修正有）【課題】伝統の艾、灸法は艾、灸は、火が皮膚に接近してくると突然のように猛烈に熱く感じてくる、途中で中止することも難しい、温熱の把握することが難しい、焼けと、火事になってしまうことはよくある。【解決手段】耐熱金属からなる内面反射鏡からなる半円筒部材の上部に開口部を設け、その開口部に耐熱金属からなる筒形部材を挿入し、その筒形部材の中にばねを介して艾を挿入してなる無接触便利防災お灸の使用器具。【効果】艾、灸の光熱を反射材（金属など）で鏡面にし、同じ方向に、ポイント的に照射することができ、光熱学の焦点、平行面鏡でより深く熱の浸透を得られ、又はより浅く、広範囲に光熱を分散することができる。また。一人で身体のどんな部分でもお灸することができる、皮膚に接触せずに、焼けとせずに、痕を残さない、受ける人は自ら艾、灸の光熱距離を調整、避けることができる。まだ点け忘れ、倒れる、灰の落下などによる火事はない。【選択図】図１
2010246865.tif 000002
【特許請求の範囲】
【請求項１】
耐熱金属線でばね状に造り、一端をばねの真ん中にまっすぐ通す。図１の１
【請求項２】
耐熱金属、密度高い網で楕円筒形を造り、一端は開口にする。図１の２
【請求項３】
請求項１を請求項２の開口から入れ、固定する。図１の３
【請求項４】
耐熱金属で凹形の半円筒を造り、内側に研磨材を使って鏡面に仕上げ、反射面鏡にする、筒底部に穴を開ける。図１の４。凹形の半円筒面鏡を熱の焦点形成を得るために楕円面鏡、或いは平行光熱を得るためには放物面鏡にて造ることができる。図２
【請求項５】
請求項５にもう一つ大きめの散熱孔のある、底部に穴を開く凹半円筒で覆う、開口部と請求項４の開口部と繋げる。図１の５
【請求項６】
請求項３を請求項４と請求項５の底部穴を通過し、請求項４の凹面鏡の真中に固定する。図１の６
【請求項７】
耐熱金属空心球に小さい複数の穴を開け、請求項６の底部穴に開閉できる蓋にする。燃焼中の艾を脱落防止するため、蓋をばねの圧力で閉めている状態にし、手で開けないと開かない。図１の７
【請求項８】
請求項４の開口部斜め外（反射光熱の当たらないところ）に防熱枠を附ける。図１の８
【発明の詳細な説明】
【技術分野】
【０００１】人体に触れずに灸（艾）を無接触に、反射鏡面で灸（艾）の燃焼で発生した光熱を焦点形成、平行光熱形成で、省エネ、人体に安全、使用便利、防火の使用器具。
【背景技術】
【０００２】従来の伝統的な艾、灸法は艾、灸を人の皮膚に置き、上から火を点け、光熱は上に向いているので、燃焼は皮膚に接近していない時は殆ど無意味である。火が皮膚に接近してくると突然のように猛烈に熱く感じてくる、温熱を把握することが難しい、熱が効率よくポイントに到達することが難しい、経験豊かな人が傍にいないと焼けどや、火事になってしまうことはよくある。
【発明の開示】
【発明が解決しようとする課題】
【０００３】伝統灸法は人の皮膚に接触し、温熱の管理は難しい、焼けとしやすい。皮膚の上に置いて、張りついて燃焼するので焼けとからすぐに逃げることはできない。【０００４】艾の残灰や火の落下、点け忘れなどによる火事。【０００５】従来直接皮膚を焼くので温熱が皮下に伝わない内に皮膚の表面が熱くて我慢できない。【０００６】一人で体のあらゆる所をお灸することができない。
【課題を解決するための手段】艾燃焼の光熱を反射面鏡調整で焦点形成や平行や散光などで体の深部、或いは広範囲に浅い所をターゲットして暖めることができる。【０００７】艾燃焼の光熱を面鏡反射器具で一つ方向に反射させる、人は器具に触れずにお灸することができる。【０００８】器具先端に耐熱防熱枠を附けることで反射鏡の周りにもう一つ散熱孔のある防熱半円筒を被せることで、人が器具を触っても焼けとすることはない。【０００９】艾、灸の燃焼は密度の高い耐熱金属で造られた網の中に燃焼させる。光熱や燃焼生成物質は網を通過することができるが、細かい燃焼中の艾、灸の灰は網を通過することはできない、細かい火の落下による焼けと又は火事を起こすことを防げる。
【発明の効果】
【００１０】本発明は、艾、灸の光熱を反射材（金属など）で面鏡にし、同じ方向に、ポイント的に照射することができ、光熱学の焦点形成でより深く熱の浸透を得られ、又は浅く、広範囲に光熱を分散することができる。
環境面に従来の上向き燃焼で３６５度に発散する光熱を一つ方向にでき、２０％の光熱利用率を９５％に上げられる。さらに有効に少なめな艾、灸の使用で従来の十分の一まで省エネすることができるし、産生する二酸化炭素や匂いも十分の一まで下げられる。
安全面では今まで伝統な皮膚に接触貼ったり、置いたりして燃焼するものより便利に一人で身体のどんな部分でもお灸することができる、皮膚に接触せずに、焼けどせずに、痕を残さない、受ける人は自ら艾、灸の光熱距離を調整、避けることができる。まだ点け忘れ、転倒、灰の落下などによる火事はない。
【発明の実施するための最良の形態】
【００１１】以下本発明の実施の形態を図に基づいて説明する。
【００１２】艾をタバコのように棒にして、一端に火を点け（現在では空心条状の艾を販売してある）、図の１の棒に条状の艾の真ん中を通過、灸器を上下左右、どんな角度の動きにも艾の燃焼を金属網の真ん中に固定できる、焦点或いは平行照射が乱れない。艾の燃焼完了後、図の７の蓋を開け、金属網の灰を灰皿に落とし、清掃することができる。
【００１３】灸の燃焼による温度の把握は▲１▼灸器と人体との離れ距離、▲２▼反射面鏡の楕円面鏡（焦点形成光熱）、放物面鏡（平行光熱）、等面鏡の角度及び大小、▲３▼灸の大小。灸の産地、製造方法と長さで燃焼時間を把握できる。
【００１４】本灸器は手に持ってお灸することはできるし、足を取り付けて人は寝ていても、座っていても、一人で背中や手が届かないところもお灸することができる。
【実施例】
【００１５】
【産業上の利用可能性】
【００１６】（艾）灸は中国のみではなく、日本、韓国、最近ではアメリカ、ロシア、ヨーロッパなど各地域にも広がっている。お灸はこの灸器で今まで焼けど、熱い、怖いというイメージを変えられ、誰でも愛用できるように安全で怖くない、気楽に受けられる時代がくる。この灸器の利用は様々な形で利用できる、プロの針灸院からエステ、マッサージ屋から一般家庭にも利用できる、
【図面の簡単な説明】
【００１７】
【図１】  図１の１〜８の断層面図又は分解外観図
【図２】  放物面鏡断面図及び隋円形面鏡断面図及び前方から見る図
【図３】  外観図
【符号の説明】
【００１８】図面上の  ◎  丸はバネである意味。
【図１】
2010246865.tif 000003
【図２】
2010246865.tif 000004
【図３】
2010246865.tif 000005
(57)【要約】【課題】先端に取り付けたブラシ毛付きスポンジの部分が回転し、背中を洗う器具を提供するものである。【解決手段】湾曲形棒状本体の先端にモーターケースを設け、モーターケースの先端に回転台を設け、回転台の縁周部にブラシ毛を設け、ブラシ毛に囲まれた内側にスポンジ部を設ける。モーターケースの中にモーターを取り付ける。モーターケースの中のモーターの手前、又は、把手部の中に電池を設け、把手部の適所にスイッチを設ける。モーター、電池、スイッチは、湾曲形本体の中を通る配線で連結されることを特徴とする背中洗い器具【選択図】図１
2010246868.tif 000002
【特許請求の範囲】
【請求項１】
湾曲形棒状本体の先端にモーターケースを設け、モーターケースの先端に回転台を設け、回転台の縁周部にブラシ毛を設け、ブラシ毛に囲まれた内側にスポンジ部を設け、モーターケースの中にモーターを取り付け、モーターケースの中のモーターの手前、又は、把手部の中に電池を設け、把手部の適所にスイッチを設け、モーター、電池、スイッチは、湾曲形本体の中を通る配線で連結されることを特徴とする背中洗い器具。
【発明の詳細な説明】
【技術分野】
【０００１】  本発明は先端のブラシ毛付きスポンジを回転させて、背中を洗う器具である。
【背景技術】
【０００２】  従来、イスの背もたれに、回転しながら、上下運動をするブラシを取り付けた自動背中洗い機がある。（特許文献１参照）。又、円形状の物にスポンジをはめ込んで、裏側に５ケの吸盤を取り付け、それを壁に吸着させて、手の届かなかった背中を洗う物がある。（特許文献２参照）。あるいは、棒の先に紐で固定させたスポンジで、手の届きにくい背中を洗い、そのスポンジを取り外して利用する物がある。（特許文献３参照）。
【特許文献１】特開平１０−３０９２４３号公報
【特許文献２】特開平１１−２９０２３４号公報
【特許文献３】実用新案登録第３１１４７４５号公報
【発明の概要】
【発明が解決しようとする課題】
【０００３】  これらには次のような問題点があった。
（イ）  イスに取り付けたものは、浴室にイスが要るという事、そして、出したり片付けたり、そのイスを掃除したり、結構手間がかかる。
（ロ）  一般家庭で使用するには、大き過ぎるし、置き場所も必要になってくるので、簡単には使えそうにない。
（ハ）  壁に吸着させる方式のものは、その都度、壁の所迄、移動しなくてはいけないので、腰や足が悪い方には、立ったり座ったりが苦痛に思える。更に自分で体を動かさなければ洗えないのでは無理が生じ、誰もが使えるという訳にはいかない。
（ニ）  スポンジ脱着棒式のものは、洗う部分を取り付けたりはずしたり手間がかかり、手の不自由な人や老眼鏡の使用者には面倒な作業だと思われる。
本発明は、以上の問題点を解決する為のものである。
【課題を解決するための手段】
【０００４】  湾曲形棒状本体の先端にモーターケースを設け、モーターケースの先端に回転台を設け、回転台の縁周部にブラシ毛を設け、ブラシ毛に囲まれた内側にスポンジ部を設ける。モーターケースの中にモーターを取り付ける。モーターケースの中のモーターの手前、又は、把手部の中に電池を設け、把手部の適所にスイッチを設ける。モーター、電池、スイッチは、湾曲形本体の中を通る配線で連結される。
以上を特徴とする背中洗い器具である。
【発明効果】
【０００５】（イ）  イス等の扱いにくい道具を浴室に持ち込む必要がない。
（ロ）  小型軽量型なので、置き場所に困る事もない。
（ハ）  片毛で軽く握って使えるので、取付場所に体を移動させたり、不自由な体を無理に動かして、立ったり座ったりする必要がない。
（ニ）  電池の取替え時以外には、部品の取り付け、取り外しなどの面倒な作業は一切必要ない。
【発明を実施するための最良の形態】
【０００６】以下、本発明の実施の形態について説明する。
湾曲形棒状本体（１）の先端にモーターケース（５）を設け、モーターケース（５）の先端に回転台（２）を設ける。回転台（２）の縁周部にブラシ毛（４）をもうけ、ブラシ毛（４）に囲まれた内側に、スポンジ部（３）を設ける。モーターケース（５）の中にモーター（６）を取り付ける。モーターケース（５）の中のモーター（６）の手前、又は、把手部（７）の中に電池（９）を設け、把手部（７）の適所にスイッチ（８）を設ける。
本発明は以上の構成よりなっている
本発明を使用する時は、スポンジ部（３）及びブラシ毛（４）の部分に石鹸をつけ、スイッチ（８）を入れると回転台（２）が回転し背中が洗える。又、本体の湾曲形棒状本体（１）の部分には、敢えて、カーブをつけ、背中への密着度を計り、より良い効果を出した。更に先端のスポンジ部（３）とブラシ毛（４）の回転が速い為、洗浄力が増すと共に、使用後は通常のタオル等とは違い、すすぎ水も少なくて、１、２回できれいになる。
【図面の簡単な説明】
【０００７】
【図１】本発明の斜視図
【図２】本発明の側面図
【図３】本発明の他の実施例を示す側面図
【図４】本発明の使用状態を示す図
【符号の説明】
【０００８】１    湾曲形棒状本体
２    回転台
３    スポンジ部
４    ブラシ毛
５    モーターケース
６    モーター
７    把手部
８    スイッチ
９    電池
【図１】
2010246868.tif 000003
【図２】
2010246868.tif 000004
【図３】
2010246868.tif 000005
【図４】
2010246868.tif 000006
(57)【要約】【課題】    入れ歯収容器を提供する。【解決手段】    紛失・不明にならないよう容器に、夜光塗料を付し緊急時でも発見しやすくした密閉型入れ歯収納容器。【選択図】図１
2010246863.tif 000002
【特許請求の範囲】
【請求項１】
容器の蓋に夜光塗料で、字・絵等を書いた入れ歯収納容器。
【発明の詳細な説明】
【技術分野】
【０００１】  本発明は、入れ歯を薬液につけて置いても液が漏れない様に収容する容器で、
緊急時夜間でも、容器の置き場所が、夜光塗料によりハッキリわかり、容器が転倒しても水漏れしないパッキン及び止め具付き密閉形入れ歯収納容器に関するものである。
【背景技術】
【０００２】  従来は、市販の容器に収容していた。
総入れ歯の者が、使用する上下一対の入れ歯を、合理的・効率的に収納・保管・洗浄することができ、精神的にも効率的にも安全で安心かつ衛生的な入れ歯容器を提供する。
【特許文献１】登録実用新案第３０１８９１８号公報
【発明の開示】
【発明が解決しようとする課題】
【０００３】  そのために次のような問題点があった。
（イ）置いた場所が不明になる。
（ロ）災害時に忘れ、持ち出せない。
（ハ）夜間でも、わかる様にフタの部分に夜光塗料で、字と絵を書いておく。
【課題を解決するための手段】
【０００４】  容器の蓋に夜光塗料で、字・絵等を書いた入れ歯収納容器。
【発明の効果】
【０００５】  夜間でも夜間塗料による光でわかる。
【発明を実施するための最良の形態】
【０００６】  以下本発明の実施の形態について説明する。
容器の蓋に夜光塗料で、字・絵等を書いた入れ歯収納容器。
（イ）容器の外側に夜光塗料を付しする。
（ロ）容器内の洗浄液が漏れないようパッキン及び止め具付きのフタとした。
【図面の簡単な説明】
【０００７】
【図１】  本発明の使用状態を示す斜視図
【図２】  蓋を開いた図
【符号の説明】
【０００８】（１）容器
（２）パッキンを付けたフタ
（３）洗浄液
（４）夜光塗料
（５）止め具
【図１】
2010246863.tif 000003
【図２】
2010246863.tif 000004
(57)【要約】【課題】梅干とごぼうを食べやすいかたちに加工し、糖類や甘味料を使用しなくても甘味のある食材を提供すること。【解決手段】梅干とごぼうを水で数時間から数十時間時間煮ることから得られる甘味と食感を利用する。煮た後の煮汁および/またはゴボウおよび/または梅干の果肉をすりつぶして使用することで、独特の甘味と食感を有する食品を提供できる。また煮た後のゴボウを乾燥させることで、ドライフルーツのような甘味と食感を持つ食品を提供できる。【選択図】なし【特許請求の範囲】
【請求項１】
梅干とゴボウを水で数時間から数十時間煮込み、この煮汁および/またはゴボウおよび/または梅干の果肉をすりつぶした食材。
【請求項２】
請求項1の食材に葛粉などの澱粉、または増粘安定剤でとろみをつけたジャム。
【請求項３】
請求項２のジャムにおいて、アルコール類や練りゴマなどの調味料を添加したことを特徴とするジャム。  
【請求項４】
請求項１の食材に香辛料や調味料を加えたソース。
【請求項５】
梅干とゴボウを水で数十時間煮込み、そのごぼうを乾燥させた食材。
【発明の詳細な説明】
【技術分野】
【０００１】
本発明は、梅干とごぼうを素材とした甘味のある食品に関するものである。
【背景技術】
【０００２】
近年、砂糖の過剰摂取からくる身体への弊害が広く認知されるようになり、砂糖に代わる甘味料や果物を用いることにより砂糖の使用を抑えた食品が多く見受けられる。また、糖尿病治療や健康改善などの理由で、甘味料や果物の摂取を控える傾向も存在している。
【０００３】
梅干は健康に良い食品として知られており、クエン酸による血液状態の改善等、数々の効能が知られている。またごぼうは、食物繊維を多く含む食材として、腸内環境の改善等、数々の効能が知られている。
しかし、伝統的製法による梅干は一般に酸味が強く塩辛いため、今日では敬遠されがちである。またごぼうは、土臭さとも呼ばれる独特の香りを嫌う人も多く、ほとんどの調理法で硬い食感が残ることにより、お年寄りなど歯の弱い人にも敬遠されがちである。
【０００４】
梅干、ごぼうの上記のような敬遠される要素を改善すべく、近年さまざまな工夫がなされているが、それらの工夫はなんらかの加工段階で糖類や甘味料を添加して梅干やゴボウの味や香りを打ち消そうとするものがほとんどである。
【０００５】
従来、梅干とごぼうを水で数時間から数十時間時間煮るという調理法があった。（非特許文献１、非特許文献２）しかし、調理後のごぼうをそのままのかたちで食べるのが一般的であり、また材料の比率や調理法によって甘味を引き出すことが出来ないため、甘味に注目した使用はなされていない。
【先行技術文献】
【非特許文献】
【０００６】
【非特許文献１】松本光司著  「穀菜和食」柴田書店  ２００５年
【非特許文献２】千坂輸紀夫  竹森美佐子著「千坂式食事法」主婦の友社２００５年
【発明の概要】
【発明が解決しようとする課題】
【０００７】
この発明は、梅干とゴボウを数時間から数十時間煮込むことで、糖類や甘味料を添加しなくても独特の酸味をおびた甘みがでることに着目したもので、梅干とゴボウを食べやすいかたちで摂取できる食品を提供しようとするものである。
【課題を解決するための手段】
【０００８】
この発明は、梅干とゴボウを水で数時間から数十時間時間煮込み、これを食材として使用する。
【０００９】
煮込み時間に関しては、１時間以上煮たあたりから食材は甘味を持ち始めるが、４０時間以上煮たものが甘味や食感の面で好ましい。ゴボウと梅干の比率はゴボウに対して梅干１％から２０％ほどが好ましい。また梅干は、梅実に対して２割程の塩および紫蘇の葉のみで漬けられた伝統的製法によるものが好ましい。またごぼうは、出来るだけ農薬を抑えたものを用いたほうが甘味を引き出す上で好ましい。
【発明の効果】
【００１０】
この発明の食材は糖類などの甘味料を添加しなくても甘みがあるので、糖類の摂取を控える人に好適であり、ごぼうの繊維により食物繊維の不足を補う健康食品となり、梅干とごぼうを食べやすいかたちで摂取できる効果がある。
【発明を実施するための形態】
【００１１】
梅干とごぼうを水で数時間から数十時間煮込んだあとの煮汁、ごぼう、梅干はすべて独特の酸味をおびた甘味を有し、食材として使用できる。煮た後の煮汁および/またはゴボウおよび/または梅干の果肉をすりつぶしてペースト状にすることで、菓子や料理への利用ができ、ジャムやソースに加工することができる。また、煮た後のゴボウを乾燥させることで、保存性に優れた、ドライフルーツに似た食感と味の食材が得られる。
【実施例１】
【００１２】
ゴボウ1000ｇと梅干100ｇを覆い被るくらいの水で４0時間ほど途中水を足しながら煮込む。このゴボウ１５０ｇをすりつぶしてペースト状にして、白ワイン20ｇと葛粉１０ｇを混ぜ、葛粉が糊化するまで火にかける。この実施例による食材はジャムとして、パンに塗ることのほか、調味料として各種料理に使用できる。
【実施例２】
【００１３】
ゴボウ1000ｇと梅干100ｇを覆い被るくらいの水で４0時間ほど途中水を足しながら煮込む。この、梅干の果肉30ｇ  ゴボウ100ｇ煮汁150ｇ  および白ワイン１０ｇをすりつぶしてペースト状にする。ここに粉末唐辛子１g.をまぜる。この実施例による食材はソースとして、揚げ物、お好み焼き、たこ焼き等の料理にかけるほかに、調味料として各種料理に使用できる。
【実施例３】
【００１４】
ゴボウ1000ｇと梅干100ｇを覆い被るくらいの水で４0時間ほど途中水を足しながら煮込み、ゴボウを３日間天日乾燥させる。この実施例による食材はドライフルーツと同様に、そのままおやつとして、または酒類に漬け込んで菓子・パン類の材料に、または料理の食材として使用できる。
(57)【要約】      （修正有）【課題】納豆に味の深みと濃さを加え旨さを増し、更に歯応えのある食感が得られると共に、小さな力で掻き混ぜることのできる納豆及びその製造方法を提供する。【解決手段】干し納豆入り納豆とした。納豆１００重量部に対して１０〜３０重量部の干し納豆を入れる。納豆の製造方法は、大豆を蒸煮又は煮た後に納豆菌を接種する納豆の製造方法において、蒸煮又は煮た後に干し納豆を混合させてから納豆菌を接種するものである。【選択図】図５
2010246472.tif 000002
【特許請求の範囲】
【請求項１】
干し納豆入り納豆。
【請求項２】
納豆１００重量部に対し１０〜３０重量部の干し納豆が入った請求項１記載の納豆。
【請求項３】
大豆を蒸煮又は煮た後に納豆菌を接種する納豆の製造方法において、蒸煮又は煮た後に干し納豆を混合させてから納豆菌を接種することを特徴とする納豆の製造方法。
【発明の詳細な説明】
【技術分野】
【０００１】
この発明は、納豆及びその製造方法に関し、より詳細には納豆の味に旨味と濃さを増すことのできる納豆及びその製造方法に関するものである。
【背景技術】
【０００２】
従来のパック入り納豆の製造方法として、図１に示す如く工程１で大豆をきれいに洗浄し、工程２で容器に入れ約1日浸漬をする。充分に吸水した大豆を工程３で蒸煮し、工程４でパックに詰め、工程５で大豆に納豆菌を接種する。工程６で発酵室に入れ発酵が終わった時点で工程７で熟成室に入れて約１日位で納豆が完成する（特許文献１参照）。
【０００３】
従来のわら納豆の製造方法として図２に示す如く図１と同様に大豆を洗浄、浸漬後、工程３Ａで蒸煮又は煮る。工程５で納豆菌を接種する。一方、工程１０で稲わらを選り、工程１１でそれを結束し、工程１２で定尺に切断し、わら苞を完成する。工程１３でわら苞を煮沸消毒する。工程１４で煮沸したわら苞を高温乾燥し、工程１５で検査をする。工程１６で菌接種された大豆を検査したわら苞内に詰める。
【０００４】
図１と同様に工程６、７で発酵熟成させて完成する。
図３は従来の干し納豆の製造方法を示し、工程２０で納豆に各種味付粉抹、例えばとうがらし粉抹、しその葉粉抹をまぶし、よくかき混ぜ、工程２１で乾燥させ完成させる。
従来の納豆には味に深みも濃さもなく味が淡白であり、味が単一的で食感もなかった。掻き混ぜる際には特に粘性が強く、大きな力を必要とした。一方、干し納豆は独特の臭いがあるため単独では食べられない人が多かった。
【先行技術文献】
【特許文献】
【０００５】
【特許文献１】特開２００５−２２９８９３
【発明の概要】
【発明が解決しようとする課題】
【０００６】
本発明は、従来の納豆及び干し納豆の欠点をなくし、納豆に味の深みと濃さを加え旨さを増し、更に歯応えのある食感が得られると共に、小さな力で掻き混ぜることのできる納豆及びその製造方法を提供することを目的とする。
【課題を解決するための手段】
【０００７】
本発明は、干し納豆入り納豆とした。
納豆１００重量部に対し１０〜３０重量部の干し納豆を入れる。
本発明の納豆の製造方法は、大豆を蒸煮又は煮た後に納豆菌を接種する納豆の製造方法において、蒸煮又は煮た後に干し納豆を混合させてから納豆菌を接種するものである。
【発明の効果】
【０００８】
本発明は、納豆に納豆を乾燥して固く味の凝縮した糸の引かない干し納豆を混合することにより、納豆に歯応えのある食感が加わり味が濃く深い旨味が増し、その上糸の引かない干し納豆が入っているので、全体としての粘性力が弱まり、掻き混ぜる際も小さな力で掻き混ぜられる。本納豆の製造方法による大豆の蒸煮又は煮る工程の後でかつ納豆菌接種工程の前で干し納豆を混合するので、凝縮された干し納豆の旨味成分と干し納豆独特の臭いが発酵する際に蒸煮又は煮た大豆に吸収され、干し納豆独特の臭いのない味が濃い、かつ深い旨味の増した納豆になる。
【図面の簡単な説明】
【０００９】
【図１】従来例のパック入り納豆の製造工程を示す。
【図２】従来例のわら納豆の製造工程を示す。
【図３】従来例の干し納豆の製造工程を示す。
【図４】本発明のパック入り納豆の製造工程を示す。
【図５】本発明のわら納豆の製造工程を示す。
【発明を実施するための形態】
【００１０】
図４は本発明によるパック入り納豆の製造工程を示す。
図１の従来例の如く工程１、２及び３で大豆を洗浄、浸漬、蒸煮する。その後、工程３Ｂで干し納豆を加え均一に攪拌混合する。その配合割合は蒸煮した大豆１００重量部に対し干し納豆を１０〜３０重量部が好ましい。１０重量部未満だと味に影響が出ない。逆に３０重量部を超えると干し納豆の影響が強く出てしまい糸引きも悪くなってしまう。そして、従来と同じように工程４、５、６及び７でパック詰めし、納豆菌接種、発酵、熟成して干し納豆入り納豆が完成する。
【００１１】
図５は本発明によるわら納豆の製造工程を示す。
図２の従来例の如く工程１、２及び３Ａで大豆を洗浄、浸漬、蒸煮又は煮る。そして、工程３Ｂで干し納豆を加え均一に攪拌混合する。その配合割合は上記の図４の例と同様１０重量部〜３０重量部が好ましい。工程５で納豆菌を接種する。一方図２の従来例と同様に稲わらを工程１０から工程１５で稲わらを選り、結束、定尺切断、煮沸消毒、高温乾燥、検査する。工程１６で菌接種された大豆を検査したわら苞内に詰め、工程６、７で発酵熟成させ完成する。
【００１２】
本発明の納豆は上記のように構成したので、干し納豆による歯応えのある食感が得られ又、味が濃く深い旨味が増す。
又、本発明の納豆の製造方法によれば、凝縮された干し納豆の旨味成分と干し納豆独特の臭いが発酵する際に蒸煮又は煮た大豆に吸収され、干し納豆独特の臭いのない味の濃い、かつ深い旨味の増した納豆になる。
【図１】
2010246472.tif 000003
【図２】
2010246472.tif 000004
【図３】
2010246472.tif 000005
【図４】
2010246472.tif 000006
【図５】
2010246472.tif 000007
(57)【要約】【課題】より多くの利用シーンに適応可能なバッテリ充電制御装置を提供する。【解決手段】コントローラ５は、充電動作を実行する充電条件を複数設定する設定手段を備え、設定手段により設定された充電条件に従ってバッテリ３を充電する。またコントローラ５は、設定された充電開始時刻と充電停止時刻の間にバッテリ３を充電する充電器４が外部電源１１に接続された場合、充電動作を開始する。また前回の充電動作完了後に車両１が起動されることなく充電動作を実行する充電条件が成立した場合、コントローラ５は再度充電動作を実行する。【選択図】図１
2010246302.tif 000002
【特許請求の範囲】
【請求項１】
車両に搭載されたバッテリの充電動作を制御するバッテリ充電制御装置であって、
充電動作を実行する充電条件を複数設定する設定手段と、
前記設定手段により設定された充電条件に従って前記バッテリを充電する制御手段とを備え、
前記制御手段は、前記設定手段により設定された充電開始時刻と充電停止時刻の間に前記バッテリを充電する充電器が外部電源に接続された場合、充電動作を開始すること
を特徴とするバッテリ充電制御装置。
【請求項２】
車両に搭載されたバッテリの充電動作を制御するバッテリ充電制御装置であって、
充電動作を実行する充電条件を複数設定する設定手段と、
前記設定手段により設定された充電条件に従って前記バッテリを充電する制御手段とを備え、
前記制御手段は、前回の充電動作完了後に車両が起動されることなく充電動作を実行する充電条件が成立した場合、再度充電動作を実行すること
を特徴とするバッテリ充電制御装置。
【発明の詳細な説明】
【技術分野】
【０００１】
本発明は、車両に搭載されたバッテリの充電動作を制御するバッテリ充電制御装置に関する。
【背景技術】
【０００２】
従来より、ユーザにより設定された日時に車両に搭載されたバッテリを充電するバッテリ充電制御装置が知られている。
【先行技術文献】
【特許文献】
【０００３】
【特許文献１】特開２００２−９０４８５号公報
【発明の概要】
【発明が解決しようとする課題】
【０００４】
従来のバッテリ充電制御装置は、ユーザにより設定された日時のみを充電開始条件としてバッテリを充電する構成になっているために、より多くの利用シーンに適応することができない。
【０００５】
本発明は上記課題を解決するためになされたものであり、その目的はより多くの利用シーンに適応可能なバッテリ充電制御装置を提供することにある。
【課題を解決するための手段】
【０００６】
本発明に係るバッテリ充電制御装置は、充電開始時刻と充電停止時刻の間にバッテリを充電する充電器が外部電源に接続された場合、充電動作を開始する。
【発明の効果】
【０００７】
本発明に係るバッテリ充電制御装置によれば、様々な充電条件を設定することができるので、より多くの利用シーンに適応することができる。
【図面の簡単な説明】
【０００８】
【図１】本発明の実施形態となるバッテリ充電制御装置の構成を示すブロック図である。
【図２】実施例１の充電制御処理の流れを説明するための時間遷移図である。
【図３】実施例２の充電制御処理の流れを説明するための時間遷移図である。
【発明を実施するための形態】
【０００９】
以下、図面を参照して、本発明に係るバッテリ充電制御装置を適用した、本発明の一実施形態となる電動車両について説明する。
【００１０】
〔電動車両の構成〕
本発明の一実施形態となる電動車両１は、図１に示すように、図示しないモータを動力源として車輪２を駆動する。電動車両１は、図示しないモータに電力を供給するバッテリ３を備える。バッテリ３は、電動車両１に搭載された充電器４と電気的に接続されている。充電器４は、バッテリ３を充電する機能を有する。電動車両１を運転しない時は、運転者は電動車両１を停車させ、電動車両１の外に設置された外部電源１１に充電器４を電力ケーブル１２を介して接続する。電力ケーブル１２の一端は充電器４と接続し、電力ケーブル１２の他端はコネクタ１３に取り付けられる。コネクタ１３は、外部電源１１に抜き差し可能に構成され、運転者が外部電源１１にコネクタ１３を差し込むことにより、充電器４は外部電源１１と接続される。なお図示しないが、バッテリ３は、バッテリ３の電池残量（蓄電率，SOC: State Of Charge）を検出するためのセンサを有する。
【００１１】
このような構成を有する電動車両１では、マイクロコンピュータ等により構成されたコントローラ５が以下の実施例１及び実施例２に示す充電制御処理を実行することにより、より多くの利用シーンに適応することを可能にする。なお以下に示すコントローラ５の動作は、コントローラ５内部のＣＰＵがＲＯＭに記憶されたコンピュータプログラムを実行することにより実現される。
【００１２】
〔実施例１〕
実施例１では、運転者によりバッテリ３の充電を行う曜日と時間帯が設定されている場合、コントローラ５は、充電開始時刻と充電停止時刻の間に充電器４に外部電源１１が接続されたタイミングで充電を開始し、充電停止時刻に充電を停止する。具体的には、図２に示すように、普通の日（例えば平日）には８時からバッテリ３の充電を開始して１８時に充電を終了するという設定がなされている場合を考える。この場合、コントローラ５は、８〜１８時の時間帯において車両が走行している時間（斜線時間帯）はバッテリ３を充電せず、この時間帯において充電器４に外部電源１１が接続されている時間だけバッテリ３を充電する。これにより、より多くの利用シーンに適応することができる。
【００１３】
〔実施例２〕
実施例２では、バッテリ３の充電停止後、電動車両１が起動されることなく次の充電開始時刻になった場合、コントローラ５は再度充電動作を行い、満充電状態に達していたら充電を即時停止する。具体的には、図３に示すように、普通の日（例えば平日）には８時からバッテリ３の充電を開始して１８時に充電を終了するという設定がなされている場合を考える。この場合、コントローラ５は、１８時に充電を停止後した後に電動車両１が起動されることなく次の普通の日の８時になった時には、コントローラ５は再度充電動作を行い、満充電状態に達していたら充電を即時停止する。これにより、より多くの利用シーンに適応することができる。
【００１４】
以上、本発明者によってなされた発明を適用した実施の形態について説明したが、本実施形態による本発明の開示の一部をなす記述及び図面により本発明は限定されることはない。すなわち本実施形態に基づいて当業者等によりなされる他の実施の形態、実施例及び運用技術等は全て本発明の範疇に含まれることは勿論である。
【符号の説明】
【００１５】
１：電動車両
２：車輪
３：バッテリ
４：充電器
５：コントローラ
１１：外部電源
１２：電力ケーブル
１３：コネクタ
【図１】
2010246302.tif 000003
【図２】
2010246302.tif 000004
【図３】
2010246302.tif 000005